(57)【要約】【課題】２つの音響信号のそれぞれの再生音によって定位する音の定位位置を変更することができる音響信号処理方法を提供する。【解決手段】音響信号処理方法は、左寄りに定位する音を主成分として含むＬ信号、及び、右寄りに定位する音を主成分として含むＲ信号を取得する取得ステップ（Ｓ３０１）と、Ｌ信号に含まれる右寄りに定位する音の成分を第１信号として抽出し、かつ、Ｒ信号に含まれる左寄りに定位する音の成分を第２信号として抽出する抽出ステップ（Ｓ３０２）と、Ｌ信号に対して、第１信号の減算、及び、第２信号の加算を行うことにより第１の出力信号を生成し、かつ、Ｒ信号に対して、第２信号の減算、及び、第１信号の加算を行うことにより第２の出力信号を生成する生成ステップ（Ｓ３０３）と、第１の出力信号、及び、第２の出力信号を出力する出力ステップ（Ｓ３０４）とを含む。【選択図】図４
2015128285.tif 000002
【特許請求の範囲】
【請求項１】
第１の位置と第２の位置との間の音場を表現するための第１の音響信号及び第２の音響信号であって、前記第１の位置寄りに定位する音を主成分として含む前記第１の音響信号、及び、前記第２の位置寄りに定位する音を主成分として含む前記第２の音響信号を取得する取得ステップと、
取得された前記第１の音響信号に含まれる前記第２の位置寄りに定位する音の成分を第１信号として抽出し、かつ、取得された前記第２の音響信号に含まれる前記第１の位置寄りに定位する音の成分を第２信号として抽出する抽出ステップと、
前記第１の音響信号に対して、前記第１信号の減算、及び、前記第２信号の加算を行うことにより第１の出力信号を生成し、かつ、前記第２の音響信号に対して、前記第２信号の減算、及び、前記第１信号の加算を行うことにより第２の出力信号を生成する生成ステップと、
生成された前記第１の出力信号、及び、生成された前記第２の出力信号を出力する出力ステップとを含む
音響信号処理方法。
【請求項２】
前記抽出ステップにおいては、
前記第１の音響信号を周波数領域に変換した第１の周波数信号と、前記第２の音響信号を周波数領域に変換した第２の周波数信号とを生成し、
前記第１の周波数信号から周波数領域の前記第１信号を抽出し、
前記周波数領域の前記第１信号を時間領域に変換することによって前記第１信号を抽出し、
前記第２の周波数信号から周波数領域の前記第２信号を抽出し、
前記周波数領域の前記第２信号を時間領域に変換することによって前記第２信号を抽出する
請求項１に記載の音響信号処理方法。
【請求項３】
前記抽出ステップにおいては、
前記第１の周波数信号及び前記第２の周波数信号の信号レベルを周波数ごとに比較することにより周波数ごとに前記周波数領域の前記第１信号及び前記周波数領域の前記第２信号の抽出量を決定する
請求項２に記載の音響信号処理方法。
【請求項４】
前記抽出ステップにおいては、
前記第１の周波数信号の信号レベルが、前記第２の周波数信号の信号レベルよりも小さくなる周波数ほど、前記周波数領域の前記第１信号の抽出量を大きく決定し、
前記第２の周波数信号の信号レベルが、前記第１の周波数信号の信号レベルよりも小さくなる周波数ほど、前記周波数領域の前記第２信号の抽出量を大きく決定する
請求項３に記載の音響信号処理方法。
【請求項５】
前記抽出ステップにおいては、周波数ｆヘルツ（ｆは実数）における、前記第１の周波数信号の信号レベルをａ、前記第２の周波数信号の信号レベルをｂ、所定の閾値をｋ（ｋは正の実数）とした場合、
前記周波数領域の前記第１信号の、前記周波数ｆの成分の抽出量を、ｂ／ａ≧ｋのときはｂ／ａに決定し、ｂ／ａ＜ｋのときは０に決定し、
前記周波数領域の前記第２信号の、前記周波数ｆの成分の抽出量を、ａ／ｂ≧ｋのときはａ／ｂに決定し、ａ／ｂ＜ｋのときは０に決定する
請求項４に記載の音響信号処理方法。
【請求項６】
さらに、ユーザの音楽ジャンルの入力を受け付ける入力受付ステップを含み、
前記抽出ステップにおいては、前記入力受付ステップにおいて受け付けた音楽ジャンルに応じて前記第１信号の抽出量及び前記第２信号の抽出量を変更する
請求項１〜５のいずれか１項に記載の音響信号処理方法。
【請求項７】
前記第１の音響信号は、ステレオ信号を構成するＬ信号であり、
前記第２の音響信号は、前記ステレオ信号を構成するＲ信号である
請求項１〜６のいずれか１項に記載の音響信号処理方法。
【請求項８】
第１の位置と第２の位置との間の音場を表現するための第１の音響信号及び第２の音響信号であって、前記第１の位置寄りに定位する音を主成分として含む前記第１の音響信号、及び、前記第２の位置寄りに定位する音を主成分として含む前記第２の音響信号を取得する取得部と、
前記第１の音響信号及び前記第２の音響信号から第１の出力信号及び第２の出力信号を生成する制御部と、
生成された前記第１の出力信号、及び、生成された前記第２の出力信号を出力する出力部とを備え、
前記制御部は、
取得された前記第１の音響信号に含まれる前記第２の位置寄りに定位する音の成分を第１信号として抽出し、かつ、取得された前記第２の音響信号に含まれる前記第１の位置寄りに定位する音の成分を第２信号として抽出し、
前記第１の音響信号に対して、前記第１信号の減算、及び、前記第２信号の加算を行うことにより前記第１の出力信号を生成し、かつ、前記第２の音響信号に対して、前記第２信号の減算、及び、前記第１信号の加算を行うことにより前記第２の出力信号を生成する
音響信号処理装置。
【発明の詳細な説明】
【技術分野】
【０００１】
本開示は、２つの音響信号に対して信号処理を行うことにより、音の定位位置を変更する音響信号処理方法、及び音響信号処理装置に関する。
【背景技術】
【０００２】
従来、２チャンネルの音響信号（オーディオ信号）であるＬ信号とＲ信号とを用いて、空間クロストークをキャンセルする技術が知られている（例えば、特許文献１参照）。この技術は、左耳に到達する右側スピーカの再生音、及び、右耳に到達する左側スピーカの再生音を低減することで、再生音の音像を広げる技術である。
【先行技術文献】
【特許文献】
【０００３】
【特許文献１】特開２００６−３０３７９９号公報
【特許文献２】特許第５２４８７１８号公報
【発明の概要】
【発明が解決しようとする課題】
【０００４】
上記の技術では、２つの音響信号のそれぞれの再生音によって定位する音の定位位置を変更することはできない。
【０００５】
本開示は、２つの音響信号のそれぞれの再生音によって定位する音の定位位置を変更することができる音響信号処理方法を提供する。
【課題を解決するための手段】
【０００６】
本開示における音響信号処理方法は、第１の位置と第２の位置との間の音場を表現するための第１の音響信号及び第２の音響信号であって、前記第１の位置寄りに定位する音を主成分として含む前記第１の音響信号、及び、前記第２の位置寄りに定位する音を主成分として含む前記第２の音響信号を取得する取得ステップと、取得された前記第１の音響信号に含まれる前記第２の位置寄りに定位する音の成分を第１信号として抽出し、かつ、取得された前記第２の音響信号に含まれる前記第１の位置寄りに定位する音の成分を第２信号として抽出する抽出ステップと、前記第１の音響信号に対して、前記第１信号の減算、及び、前記第２信号の加算を行うことにより第１の出力信号を生成し、かつ、前記第２の音響信号に対して、前記第２信号の減算、及び、前記第１信号の加算を行うことにより第２の出力信号を生成する生成ステップと、生成された前記第１の出力信号、及び、生成された前記第２の出力信号を出力する出力ステップとを含む。
【発明の効果】
【０００７】
本開示における音響信号処理方法は、２つの音響信号のそれぞれの再生音によって定位する音の定位位置を変更することができる。
【図面の簡単な説明】
【０００８】
【図１】図１は、実施の形態１に係る音響信号処理方法の概要を説明するための模式図である。
【図２】図２は、実施の形態１に係る音響信号処理装置と周辺装置との構成の一例を示す図である。
【図３】図３は、実施の形態１に係る音響信号処理装置の構成を示す機能ブロック図である。
【図４】図４は、実施の形態１に係る音響信号処理装置の動作のフローチャートである。
【図５】図５は、生成部の具体的な構成を模式的に示す図である。
【図６】図６は、抽出部の詳細構成を示す機能ブロック図である。
【図７】図７は、抽出部の動作のフローチャートである。
【図８】図８は、Ｌｉｎ及びＲｉｎの具体例を示す第１の図である。
【図９】図９は、図８のＬｉｎの再生音及び図８のＲｉｎの再生音による、音の定位位置を示す図である。
【図１０】図１０は、Ｌｏｕｔ及びＲｏｕｔの生成方法を示す第１の図である。
【図１１】図１１は、Ｌｏｕｔ及びＲｏｕｔの生成方法を示す第２の図である。
【図１２】図１２は、Ｌｉｎ及びＲｉｎの具体例を示す第２の図である。
【図１３】図１３は、図１２のＬｉｎの再生音及び図１２のＲｉｎの再生音による、音の定位位置を示す図である。
【図１４】図１４は、Ｌｏｕｔ及びＲｏｕｔの生成するときの信号波形を示す第１の図である。
【図１５】図１５は、Ｌｏｕｔ及びＲｏｕｔを生成するときの信号波形を示す第２の図である。
【図１６】図１６は、Ｌｉｎ及びＲｉｎの具体例を示す第３の図である。
【図１７】図１７は、図１６のＬｉｎの再生音及び図１６のＲｉｎの再生音による、音の定位位置を示す図である。
【図１８】図１８は、Ｌｏｕｔ及びＲｏｕｔを生成するときの信号波形を示す第３の図である。
【図１９】図１９は、Ｌｏｕｔ及びＲｏｕｔを生成するときの信号波形を示す第４の図である。
【図２０】図２０は、スピーカ配置の一例を説明するための第１の図である。
【図２１】図２１は、スピーカ配置の一例を説明するための第２の図である。
【図２２】図２２は、入力受付部を備える音響信号処理装置の構成を示す機能ブロック図である。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者は、当業者が本開示を十分に理解するために添付図面および以下の説明を提供するのであって、これらによって特許請求の範囲に記載の主題を限定することを意図するものではない。
【００１１】
（実施の形態１）
まず、実施の形態１に係る音響信号処理方法の概要について説明する。図１は、音響信号処理方法の概要を説明するための模式図である。
【００１２】
一般に、ステレオ信号を構成するＬ信号（Ｌチャネル信号）及びＲ信号（Ｒチャネル信号）のそれぞれは、共通の成分（音成分）を含むが、これら共通の音成分は、音の定位位置に応じて信号レベルが異なる。図１の（ａ）の例では、Ｌ信号及びＲ信号は、いずれもドラムの音３０ａ、ボーカルの音４０ａ、及び、ギターの音５０ａの各成分を含むが、Ｌ信号においては、左側に定位する音（ドラムの音３０ａ）の信号レベルが高く、右側に定位する音（ギターの音５０ａ）の信号レベルが低い。また、Ｒ信号においては、左側に定位する音（ドラムの音３０ａ）の信号レベルが低く、右側に定位する音（ギターの音５０ａ）の信号レベルが高い。
【００１３】
このような構成のステレオ信号の再生により、受聴者は、立体的な音場空間を知覚することができる。
【００１４】
しかしながら、ステレオ信号は、Ｌチャネルスピーカ１０ＬとＲチャネルスピーカ１０Ｒとの中央付近に受聴者がいることを前提としている。したがって、受聴位置がずれる場合には、ステレオ感が低下する場合がある。
【００１５】
具体的には、例えば、図１の（ａ）に示されるように受聴者２０の受聴位置がＲチャネルスピーカ１０Ｒ寄りである場合、受聴者２０には、ボーカルの音４０ａとギターの音５０ａとが重なって聞こえてしまい、聴き取りにくい場合がある。また、このような場合、位相誤差により、ギターの音５０ａ及びドラムの音３０ａの定位がぼやける場合もある。なお、このようなシチュエーションの典型例は、自動車の車内であり、自動車の運転席の位置または助手席の位置は、通常、２つのスピーカの中央からずれている。
【００１６】
ここで、実施の形態１に係る音響信号処理方法によれば、Ｌ信号及びＲ信号を信号処理することにより、図１の（ｂ）に示されるように、ドラムの音３０ｂの定位位置を左側に変更し、ギターの音５０ｂの定位位置を右側に変更する。ボーカルの音４０ａの定位位置については、ほぼそのままとなる。
【００１７】
これにより、受聴者２０は、ボーカルの音４０ａをクリアに受聴することができる。
【００１８】
以下、このような音響信号処理方法（音響信号処理装置）の詳細について詳細に説明する。
【００１９】
［適用例］
まず、実施の形態１に係る音響信号処理装置の適用例について説明する。図２は、実施の形態１に係る音響信号処理装置と周辺装置との構成の一例を示す図である。
【００２０】
実施の形態１に係る音響信号処理装置１００は、例えば、図２の（ａ）に示されるように、音再生装置２０１の一部として実現される。この場合、音再生装置２０１（音響信号処理装置１００）は、ネットワーク、記録媒体（記億媒体）、電波、及び収音部などからＬ信号及びＲ信号の２つの音響信号を取得する。なお、Ｌ信号及びＲ信号は、ステレオ信号を構成する２つの信号である。
【００２１】
音響信号処理装置１００は、取得した２つの音響信号であるＬ信号（以下、Ｌｉｎとも記載する）とＲ信号（以下、Ｒｉｎとも記載する）とを用いて、第１の出力信号（以下、Ｌｏｕｔとも記載する）と第２の出力信号（以下、Ｒｏｕｔとも記載する）とを生成する。ここで、Ｌｏｕｔ及びＲｏｕｔは、ＬｉｎとＲｉｎとにそれぞれに対応し、音の定位位置が変更された信号である。つまり、音響信号処理装置１００が組み込まれている音再生装置２０１の再生系を用いてＬｏｕｔとＲｏｕｔとが再生されることによって、定位位置が変更された音が出力される。
【００２２】
図２の（ａ）の場合は、音響信号処理装置１００は、例えば、車載オーディオ装置、携帯型オーディオ装置等のスピーカが内蔵されたオーディオ装置、ミニコンポーネント、ＡＶセンターアンプ等のスピーカが接続されたオーディオ装置、テレビ、デジタルスチルカメラ、デジタルビデオカメラ、携帯端末装置、パーソナルコンピュータ、ＴＶ会議システム、スピーカ、スピーカシステム等である。
【００２３】
また、図２の（ｂ）に示されるように、音響信号処理装置１００は、音再生装置２０１とは別体の装置として実現されてもよい。この場合、音響信号処理装置１００は、Ｌｏｕｔ及びＲｏｕｔを音再生装置２０１に出力する。
【００２４】
この場合は、音響信号処理装置１００は、例えば、ネットワークオーディオ等のサーバ及び中継器、携帯型オーディオ装置、ミニコンポーネント、ＡＶセンターアンプ、テレビ、デジタルスチルカメラ、デジタルビデオカメラ、携帯端末装置、パーソナルコンピュータ、ＴＶ会議システム、スピーカ、スピーカシステム等として実現される。また、別体の音再生装置２０１の一例しては、車載オーディオ装置が挙げられる。
【００２５】
また、図２の（ｃ）に示されるように、音響信号処理装置１００は、Ｌｏｕｔ及びＲｏｕｔを記録媒体２０２に出力（送信）してもよい。すなわち、音響信号処理装置１００は、Ｌｏｕｔ及びＲｏｕｔを記録媒体２０２に記録（記憶）してもよい。
【００２６】
記録媒体２０２としては、例えば、ハードディスク、ブルーレイ（登録商標）ディスク、ＤＶＤ（Ｄｉｇｉｔａｌ  Ｖｅｒｓａｔｉｌｅ  Ｄｉｓｃ）、ＣＤ（Ｃｏｍｐａｃｔ  Ｄｉｓｃ）等のパッケージメディア、フラッシュメモリ等が挙げられる。また、このような記録媒体２０２は、車載オーディオ装置、ネットワークオーディオ等のサーバ及び中継器、携帯型オーディオ装置、ミニコンポーネント、ＡＶセンターアンプ、テレビ、デジタルスチルカメラ、デジタルビデオカメラ、携帯端末装置、パーソナルコンピュータ、テレビ会議システム、スピーカ、スピーカシステム等に内蔵されたものであってもよい。
【００２７】
上記のように、音響信号処理装置１００は、ＬｉｎとＲｉｎとを取得し、取得したＬｉｎ及びＲｉｎから所望の定位位置に音の定位が変更されたＬｏｕｔ及びＲｏｕｔを生成する機能を有していれば、どのような構成でも構わない。
【００２８】
［構成及び動作］
以下、音響信号処理装置１００の具体的な構成及び動作の概要について図３及び図４を用いて説明する。
【００２９】
図３は、音響信号処理装置１００の構成を示す機能ブロック図である。図４は、音響信号処理装置１００の動作のフローチャートである。
【００３０】
図３に示されるように、音響信号処理装置１００は、取得部１０１と、制御部１０５（抽出部１０２及び生成部１０３）と、出力部１０４とを備える。
【００３１】
取得部１０１は、受聴者から見て左寄りに定位する音を主成分として含むＬｉｎ、及び、受聴者から見て右寄りに定位する音を主成分として含むＲｉｎを取得する（図４のＳ３０１）。取得部１０１は、具体的には、例えば、音響信号処理装置１００に設けられた、音響信号を入力するためのインターフェース（入力インターフェース）である。
【００３２】
抽出部１０２は、取得されたＬｉｎに含まれる右寄りに定位する音の成分を第１信号として抽出し、取得されたＲｉｎに含まれる左寄りに定位する音の成分を第２信号として抽出する（図４のＳ３０２）。抽出部１０２の、第１信号の抽出方法と第２信号の抽出方法の詳細については後述する。
【００３３】
生成部１０３は、Ｌｉｎに対して、第１信号を減算し、かつ、第２信号を加算する処理を行うことによりＬｏｕｔを生成し、Ｒｉｎに対して、第２信号を減算し、かつ、第１信号を加算する処理を行うことによりＲｏｕｔを生成する（図４のＳ３０３）。図５は、生成部の具体的な構成を模式的に示す図である。
【００３４】
図５に示されるように、生成部１０３は、具体的には、Ｌｉｎから第１信号を減算した後、減算結果に対して第２信号を加算してＬｏｕｔを生成し、Ｒｉｎから、第２信号を減算した後、減算結果に対して第１信号を加算しＲｏｕｔを生成する。
【００３５】
なお、生成部１０３は、Ｌｉｎに第２信号を加算した後、演算結果から第１信号を減算してＬｏｕｔを生成し、Ｒｉｎに第１信号を加算した後、演算結果から第２信号を減算してＲｏｕｔを生成しても構わない。つまり、減算及び加算はいずれが先に行われても構わない。なお、ＬｏｕｔとＲｏｕｔの生成方法の詳細については、後述する。
【００３６】
抽出部１０２及び生成部１０３は、制御部１０５を構成する。制御部１０５は、具体的には、ＤＳＰ（Ｄｉｓｉｔａｌ  Ｓｉｇｎａｌ  Ｐｒｏｃｅｓｓｏｒ）などのプロセッサ、マイクロコンピュータ、または専用回路によって実現される。
【００３７】
出力部１０４は、生成されたＬｏｕｔ、及び、生成されたＲｏｕｔを出力する（図４のＳ３０４）。出力部１０４は、具体的には、例えば、音響信号処理装置１００に設けられた、信号を出力するためのインターフェース（出力インターフェース）である。
【００３８】
なお、上述の適用例において説明したように、出力部１０４のＬｏｕｔ及びＲｏｕｔの出力先は特に限定されるものではないが、実施の形態１では、出力部１０４は、Ｌｏｕｔ及びＲｏｕｔをスピーカに出力する。
【００３９】
次に、音響信号処理装置１００の各動作の詳細について説明する。
【００４０】
［Ｌｉｎ及びＲｉｎの取得動作］
以下、取得部１０１のＬｉｎ及びＲｉｎの取得動作の詳細について説明する。
【００４１】
図２を用いて既に説明したように、取得部１０１は、例えば、インターネット等のネットワークからＬｉｎ及びＲｉｎを取得する。また、例えば、取得部１０１は、ハードディスク、ブルーレイディスク、ＤＶＤ及びＣＤ等のパッケージメディア、フラッシュメモリ等の記録媒体からＬｉｎ及びＲｉｎを取得する。
【００４２】
また、例えば、取得部１０１は、テレビ、携帯電話、無線ネットワーク等の電波からＬｉｎ及びＲｉｎを取得する。また、例えば、取得部１０１は、スマートフォン、オーディオレコーダー、デジタルスチルカメラ、デジタルビデオカメラ、パーソナルコンピュータ、マイクロホン等の収音部から収音された音の信号をＬｉｎ及びＲｉｎとして取得する。
【００４３】
つまり、取得部１０１は、左寄りに定位する音を主成分として含むＬｉｎ、及び、右寄りに定位する音を主成分として含むＲｉｎを取得できればよく、Ｌｉｎ及びＲｉｎの取得経路についてはどのような経路であっても構わない。
【００４４】
上述のように、Ｌｉｎ及びＲｉｎは、ステレオ信号を構成する。すなわち、Ｌｉｎ及びＲｉｎは、第１の位置と第２の位置との間の音場を表現するための信号の一例である。なお、Ｌｉｎは、第１の音響信号の一例であり、左寄りに定位する音は、第１の位置寄りに定位する音の一例である。Ｒｉｎは、第２の音響信号の一例であり、右寄りに定位する音は、第２の位置寄りに定位する音の一例である。第１の位置及び第２の位置は、ステレオ信号が表現する音場が間に存在する仮想的な位置である。
【００４５】
なお、取得部１０１は、５．１チャンネル等のマルチチャンネルの音響信号のうちから選択した２チャンネル分の音響信号を第１の音響信号及び第２の音響信号として取得してもよい。この場合、取得部１０１は、フロントＬ信号を第１の音響信号として取得し、かつ、フロントＲ信号を第２の音響信号として取得してもよいし、サラウンドＬ信号を第１の音響信号として取得し、かつ、サラウンドＲ信号を第２の音響信号として取得してもよい。また、取得部１０１は、フロントＬ信号を第１の音響信号として取得し、かつ、センター信号を第２の音響信号として取得してもよい。つまり、取得部１０１は、同一の音場を表現するために用いられる音響信号の組を取得すればよい。
【００４６】
［第１信号及び第２信号の抽出動作］
以下、抽出部１０２の、第１信号及び第２信号の抽出動作の詳細について説明する。図６は、抽出部１０２の詳細構成を示す機能ブロック図である。図７は、抽出部１０２の動作のフローチャートである。
【００４７】
図６に示されるように、抽出部１０２は、周波数領域変換部４０１と、信号抽出部４０２と、時間領域変換部４０３とを備える。
【００４８】
周波数領域変換部４０１は、Ｌｉｎ及びＲｉｎをフーリエ変換し、時間領域の表現形式から周波数領域の表現形式に変更する（図７のＳ５０１）。実施の形態１では、周波数領域変換部４０１は、高速フーリエ変換を用いて、Ｌｉｎ及びＲｉｎを時間領域の表現形式から周波数領域の表現形式に変更する。周波数領域で表現されたＬｉｎは、第１の周波数信号の一例であり、周波数領域で表現されたＲｉｎは、第２の周波数信号の一例である。つまり、周波数領域変換部４０１は、Ｌｉｎを周波数領域に変換した第１の周波数信号と、Ｒｉｎを周波数領域に変換した第２の周波数信号とを生成する。
【００４９】
なお、周波数領域変換部４０１は、離散コサイン変換、ウェーブレット変換等の、他の一般的な周波数変換を用いてＬｉｎ及びＲｉｎを周波数領域の表現形式に変更してもよい。つまり、周波数領域変換部４０１は、時間領域の信号を周波数領域に変換する変換手法であれば、どのような手法を利用してもよい。
【００５０】
信号抽出部４０２は、周波数領域の表現形式で表現されたＲｉｎ及びＬｉｎの信号レベルを比較し、比較結果に基づいて、周波数領域で表現されたＬｉｎ及びＲｉｎの抽出量を（抽出レベル、抽出係数）を決定する。そして、信号抽出部４０２は、決定した抽出量により周波数領域で表現されたＬｉｎから周波数領域の第１信号を抽出し、周波数領域で表現されたＲｉｎから周波数領域の第２信号を抽出する（図７のＳ５０２）。すなわち、第１の周波数信号及び第２の周波数信号の信号レベルを周波数ごとに比較することにより周波数ごとに周波数領域の第１信号及び周波数領域の第２信号の抽出量を決定する。
【００５１】
ここで、抽出量とは、周波数領域の第１信号を抽出するときに周波数領域で表現されたＬｉｎに乗算される重み係数（周波数領域の第２信号を抽出するときにＲｉｎに乗算される重み係数）を意味する。
【００５２】
例えば、ある周波数において周波数領域の第１信号の抽出量が０．５である場合、周波数領域の第１信号におけるこの周波数成分の信号レベルは、周波数領域で表現されたＬｉｎの当該周波数成分に対して０．５を乗算した信号レベルとなる。
【００５３】
信号抽出部４０２は、例えば、周波数領域で表現されたＬｉｎの信号レベルが、周波数領域で表現されたＲｉｎの信号レベルよりも小さくなる周波数ほど、周波数領域の第１信号の抽出量を大きく決定する。同様に、信号抽出部４０２は、周波数領域で表現されたＲｉｎの信号レベルが、周波数領域で表現されたＬｉｎの信号レベルよりも小さくなる周波数ほど、周波数領域の第２信号の抽出量を大きく決定する。
【００５４】
例えば、周波数ｆヘルツ（ｆは実数）における、周波数領域で表現されたＬｉｎの信号レベルをａ、周波数領域で表現されたＲｉｎの信号レベルをｂ、所定の閾値をｋ（ｋは正の実数）とする。この場合、信号抽出部４０２は、周波数領域の第１信号の、周波数ｆの成分の抽出量を、ｂ／ａ≧ｋのときはｂ／ａに決定し、ｂ／ａ＜ｋのときは０に決定する。同様に、信号抽出部４０２は、周波数領域の第２信号の、周波数ｆの成分の抽出量を、ａ／ｂ≧ｋのときはａ／ｂに決定し、ａ／ｂ＜ｋのときは０に決定する。なお、典型的には、ｋ＝１に設定される。
【００５５】
なお、抽出量の決定方法は、このような態様に限定されない。抽出量は、後述するように音源の音楽ジャンル等に応じて決定されてもよいし、上記決定方法で算出された抽出量がさらに音源の音楽ジャンルに応じて調整されてもよい。
【００５６】
なお、上記の抽出方法は一例であり、その他の抽出方法が用いられてもよい。例えば、信号抽出部４０２は、ＬｉｎとＲｉｎとの和信号であるＬｉｎ＋Ｒｉｎから、差信号αＬｉｎ−βＲｉｎ（α、βは実数）を周波数領域において減算することで第１信号の周波数信号と第２信号の周波数信号を抽出する。なお、α及びβは、抽出対象の信号の範囲、及び、抽出対象の信号の抽出量に応じて適宜設定される。このような抽出方法の詳細は、特許文献２に記載されており、詳細な説明については省略される。
【００５７】
時間領域変換部４０３は、Ｌｉｎから抽出した周波数領域の第１信号を、逆フーリエ変換することにより、周波数領域における表現形式から時間領域における表現形式に変換する。これにより、時間領域変換部４０３は、第１信号を生成する。さらに、時間領域変換部４０３は、Ｒｉｎから抽出した周波数領域の第２信号を、逆フーリエ変換することにより、周波数領域における表現形式から時間領域における表現形式に変換する。これにより、時間領域変換部４０３は、第２信号を生成する（図７のＳ５０３）。実施の形態１では、時間領域変換部４０３の逆変換には、高速逆フーリエ変換が用いられる。
【００５８】
［音響信号処理装置の動作の具体例１］
以下、図８〜図１１を用いて、音響信号処理装置１００の動作の具体例について説明する。図８は、Ｌｉｎ及びＲｉｎの具体例を示す図である。なお、図８において、横軸は時間を示し、縦軸は振幅を示す。
【００５９】
図８の（ａ）に示されるＬｉｎと、図８の（ｂ）に示されるＲｉｎは、いずれも３ｋＨｚの正弦波である。ここでは、Ｌｉｎの位相とＲｉｎの位相とは同相である。また、図８の（ａ）に示されるようにＬｉｎは、時間経過とともに音の大きさが小さくなり、図８の（ｂ）に示されるようにＲｉｎは、時間経過とともに音の大きさが大きくなる。このような構成により、図８の横軸を、音の定位位置（領域）と捉えることも可能である。
【００６０】
また、以下の実施の形態の説明（具体例２及び具体例３を含む）においては、受聴者は、ＬｉｎとＲｉｎとが再生されるスピーカの正面中央の位置で音を受聴するものとする。つまり、Ｌｉｎを再生するスピーカ位置は、受聴者の左側（Ｌ方向）となり、Ｒｉｎを再生するスピーカ位置は、受聴者の右側（Ｒ方向）となり、受聴者の正面は、センター（センター方向）となる。
【００６１】
図８において、領域ａ（領域ａに対応する時間帯）においては、Ｌｉｎの信号レベルはＲｉｎの信号レベルと比較して大きく、３ｋＨｚの正弦波は受聴者の左側に定位する。また、領域ｂ（領域ｂに対応する時間帯）においては、Ｌｉｎの信号レベルとＲｉｎの信号レベルとはほぼ等しく、３ｋＨｚの正弦波は受聴者のほぼ正面に定位する。また、領域ｃ（領域ｃに対応する時間帯）においては、Ｌｉｎの信号レベルはＲｉｎの信号レベルと比較して小さく、３ｋＨｚの正弦波は受聴者の右側に定位する。
【００６２】
ここで、図９は、このようなＬｉｎの再生音及びＲｉｎの再生音による、音の定位位置を示す図である。図９では、パニング手法（Ｌｉｎ及びＲｉｎの音圧の比率により定位方向を分析する方法）により定位方向を求めており、色が白い部分は信号レベルが大きいことを示している。図９において、横軸は時間を示し、縦軸は定位方向を示す。なお、図９の横軸の時間スケールは図８と同じであり、図９の領域ａ、領域ｂ、領域ｃは、図８の領域ａ、領域ｂ、領域ｃにそれぞれ対応している。
【００６３】
図９の（ａ）に示されるように、Ｌｉｎの再生音及びＲｉｎの再生音による音の定位位置は、時間経過とともに緩やかに左側からセンターへ移動し、その後、右側に移動する。
【００６４】
これに対し、図９の（ｂ）及び（ｃ）は、音響信号処理装置１００により生成されたＬｏｕｔの再生音及びＲｏｕｔの再生音による音の定位位置を示す図である。なお、図９の（ｂ）及び（ｃ）の表記方法（書式）は、図９の（ａ）と同じであり、図９の（ｂ）は、音の定位移動量が小さい場合、図９の（ｃ）は、音の定位移動量が大きい場合をそれぞれ示している。
【００６５】
図９の（ａ）と（ｂ）とを比較すると、Ｌｏｕｔの再生音及びＲｏｕｔの再生音による音の定位位置は、領域ａ付近と領域ｃ付近とに偏っていることがわかる。つまり、音響信号処理装置１００により音の定位位置が変更されている。また、Ｌｏｕｔの再生音及びＲｏｕｔの再生音によって、領域ｂ付近の音の定位の分布は、センターを中心にして左右両サイドの方向（図９の（ｂ）の上下方向）に引き延ばされているが、領域ｂへの音の定位は維持されている。
【００６６】
さらに、図９の（ｂ）と（ｃ）とを比較すると、図９の（ｃ）では、Ｌｏｕｔの再生音及びＲｏｕｔの再生音による音の定位位置は、さらに領域ａ付近と領域ｃ付近とに偏っていることがわかる。また、図９の（ｃ）では、Ｌｏｕｔの再生音及びＲｏｕｔの再生音によって、領域ｂ付近の音の定位の分布は、センターを中心にして左右両サイドの方向にさらに引き延ばされている。
【００６７】
ここで、図９の（ｂ）に示される音の定位を実現するＬｏｕｔ及びＲｏｕｔを生成する方法を図１０を用いて説明する。図１０は、Ｌｏｕｔ及びＲｏｕｔの生成方法を示す図である。なお、図１０において、横軸は時間を示し、縦軸は振幅を示す。横軸の時間スケールと縦軸の振幅のスケールとは図８と同じであり、図１０の領域ａ、領域ｂ、領域ｃは、図８の領域ａ、領域ｂ、領域ｃにそれぞれ対応している。
【００６８】
図１０の（ａ）は、第１信号を示す図である。第１信号は、Ｌｉｎ（図８の（ａ））に含まれる、領域ｃ寄り（右寄り）に定位する音の成分を抽出した信号である。図１０の（ｂ）は、第２信号を示す図である。上述のように第２信号は、Ｒｉｎ（図８の（ｂ））に含まれる領域ａ寄り（左寄り）に定位する音の成分を抽出した信号である。
【００６９】
また、図１０の（ｃ）は、Ｌｉｎから第１信号を減算した信号を示す図である。この図からわかるように、Ｌｉｎから第１信号を減算した信号においては、領域ｃ側（右側）の信号レベルが、Ｌｉｎと比較して減衰している。同様に、図１０の（ｄ）は、Ｒｉｎから第２信号を減算した信号を示す図である。この図からわかるように、Ｒｉｎから第２信号を減算した信号においては、領域ａ側（左側）の信号レベルが、Ｒｉｎと比較して減衰している。
【００７０】
そして、図１０の（ｅ）は、Ｌｉｎから第１信号を減算し、かつ、第２信号を加算した信号であるＬｏｕｔを示す図であり、図１０の（ｆ）は、Ｒｉｎから第２信号を減算し、かつ、第１信号を加算した信号であるＲｏｕｔを示す図である。
【００７１】
Ｌｏｕｔにおいては、領域ａ側（左側）の信号レベルがＬｉｎと比較して増加しており、Ｒｏｕｔにおいては、領域ａ側の信号レベルがＲｉｎと比較して減少している。つまり、Ｌｏｕｔ及びＲｏｕｔにより、音の定位位置を左側に寄せる（移動する）ことができる。
【００７２】
また、Ｌｏｕｔにおいては、領域ｃ側（右側）の信号レベルがＬｉｎと比較して減少しており、Ｒｏｕｔにおいては、領域ｃ側の信号レベルがＲｉｎと比較して増加している。つまり、Ｌｏｕｔ及びＲｏｕｔにより、音の定位位置を右側に寄せる（移動する）ことができる。
【００７３】
なお、定位位置を変更するだけであれば、加算処理（Ｌｉｎに対する第２信号の加算、及び、Ｒｉｎに対する第１信号の加算）は、必須ではない。しかしながら、加算処理を行うことで、Ｌｉｎ＋Ｒｉｎ＝Ｌｏｕｔ＋Ｒｏｕｔの関係が成立するため、全体としての信号レベルを維持し、信号処理後に音質や音量感が変化することを抑制することができる。
【００７４】
ところで、図９の（ｃ）に示されるように、第１信号の抽出量と第２信号の抽出量とを変更することで、音の定位位置をさらに左右に寄せることができる。以下、図９の（ｃ）に示される音の定位を実現するＬｏｕｔ及びＲｏｕｔを生成する方法を図１１を用いて説明する。図１１は、Ｌｏｕｔ及びＲｏｕｔの生成方法を示す図である。なお、図１１において、横軸は時間を示し、縦軸は振幅を示す。横軸の時間スケールと縦軸の振幅のスケールとは図８と同じであり、図１１の領域ａ、領域ｂ、領域ｃは、図８の領域ａ、領域ｂ、領域ｃにそれぞれ対応している。
【００７５】
図１１の（ａ）は、第１信号を示す図であり、図１１の（ｂ）は、第２信号を示す図である。また、図１１の（ｃ）は、Ｌｉｎから第１信号を減算した信号を示す図であり、図１１の（ｄ）は、Ｒｉｎから第２信号を減算した信号を示す図である。これらの図から、第１信号の抽出量及び第２信号の抽出量が、図１０の場合に比べて増加していることがわかる。
【００７６】
そして、図１１の（ｅ）に示されるＬｏｕｔにおいては、領域ａ側の信号レベルが図１０の（ｅ）に示されるＬｏｕｔの信号レベルよりも大きい。つまり、図１１の（ｅ）に示されるＬｏｕｔは、図１０の（ｅ）に示されるＬｏｕｔよりも、音の定位位置をさらに左側に寄せる（移動する）ことができる。同様に、図１１の（ｆ）に示されるＲｏｕｔにおいては、領域ｃ側の信号レベルが図１０の（ｆ）に示されるＲｏｕｔの信号レベルよりも大きい。つまり、図１１の（ｆ）に示されるＲｏｕｔは、図１０の（ｆ）に示されるＲｏｕｔよりも、音の定位位置をさらに右側に寄せる（移動する）ことができる。なお、このときも、Ｌｉｎ＋Ｒｉｎ＝Ｌｏｕｔ＋Ｒｏｕｔの関係が成り立っており、全体の信号レベル（ＬｉｎとＲｉｎの和信号の信号レベル）は、変化しない。
【００７７】
以上のように、音響信号処理装置１００の音響信号処理方法によれば、センター付近に音を定位させたまま、その他の音の定位位置を左右両サイドに寄せることができ、さらに左右両サイドへの定位移動量を変更することができる。これにより、受聴者は、センター付近の音をクリアに受聴することができる。
【００７８】
なお、図８〜図１１を用いた実施例では、受聴者は、ＬｉｎとＲｉｎとが再生されるスピーカの正面中央の位置で音を受聴するものとしたが、受聴者の位置は特に限定されるものではない。受聴者は、Ｌｏｕｔが再生されるスピーカの側に位置していても、Ｒｏｕｔが再生されるスピーカの側に位置していても、センター付近の音をクリアに受聴することができる。
【００７９】
［音響信号処理装置の動作の具体例２］
以下、音響信号処理装置１００の動作の別の具体例について説明する。図１２〜図１５を用いて、ポップミュージックのステレオ音源を構成するＬｉｎ及びＲｉｎを用いた例について説明する。図１２は、Ｌｉｎ及びＲｉｎの具体例を示す図である。なお、図１２において、横軸は時間を示し、縦軸は振幅を示す。
【００８０】
図１３は、このようなＬｉｎの再生音及びＲｉｎの再生音による、音の定位位置を示す図である。図１３では、パニング手法により定位位置を求めており、色が白い部分は信号レベルが大きいことを示している。図１３において、横軸は時間を示し、縦軸は定位方向を示し、横軸の時間スケールは図１２と同じである。
【００８１】
図１３の（ａ）に示されるように、Ｌｉｎの再生音及びＲｉｎの再生音による音の定位位置は、センター付近に集まっている。
【００８２】
これに対し、図１３の（ｂ）及び（ｃ）は、音響信号処理装置１００により生成されたＬｏｕｔの再生音及びＲｏｕｔの再生音による音の定位位置を示す図である。なお、図１３の（ｂ）及び図１３の（ｃ）の表記方法は、図１３の（ａ）と同じであり、図１３の（ｂ）は、音の定位移動量が小さい場合、図１３の（ｃ）は、音の定位移動量が大きい場合をそれぞれ示している。
【００８３】
図１３の（ａ）と（ｂ）とを比較すると、図１３の（ｂ）では、音の定位位置を若干ではあるが左右両サイドの方向に引き延ばせていることがわかる。
【００８４】
図１３の（ｂ）と（ｃ）とを比較すると、図１３の（ｃ）では、音の定位位置をさらに左右両サイドの方向に引き延ばせていることがわかる。
【００８５】
ここで、図１３の（ｂ）に示される音の定位を実現するＬｏｕｔ及びＲｏｕｔを生成するときの信号波形を図１４によって提示する。図１４は、Ｌｏｕｔ及びＲｏｕｔの生成するときの信号波形を示す図である。なお、図１４において、横軸は時間を示し、縦軸は振幅を示す。横軸の時間スケールと縦軸の振幅のスケールとは図１２と同じである。
【００８６】
図１４の（ａ）は、第１信号を示し、図１４の（ｂ）は、第２信号を示している。図１４の（ｃ）は、Ｌｉｎ−第１信号を示し、図１４の（ｄ）は、Ｒｉｎ−第２信号を示している。図１４の（ｅ）は、Ｌｏｕｔを示し、図１４の（ｆ）は、Ｒｏｕｔを示す。
【００８７】
また、図１３の（ｃ）に示される音の定位を実現するＬｏｕｔ及びＲｏｕｔを生成するときの信号波形を図１５によって提示する。図１５は、Ｌｏｕｔ及びＲｏｕｔを生成するときの信号波形を示す図である。なお、図１５において、横軸は時間を示し、縦軸は振幅を示す。横軸の時間スケールと縦軸の振幅のスケールとは図１２と同じである。
【００８８】
図１５の（ａ）は、第１信号を示し、図１５の（ｂ）は、第２信号を示している。図１５の（ｃ）は、Ｌｉｎ−第１信号を示し、図１５の（ｄ）は、Ｒｉｎ−第２信号を示している。図１５の（ｅ）は、Ｌｏｕｔを示し、図１５の（ｆ）は、Ｒｏｕｔを示す。
【００８９】
なお、図１４及び図１５の両方の場合において、Ｌｉｎ＋Ｒｉｎ＝Ｌｏｕｔ＋Ｒｏｕｔの関係が成り立っており、全体の信号レベルは変化しない。
【００９０】
以上のように、音響信号処理装置１００の音響信号処理方法によれば、センター付近に音を定位させたまま、その他の音の定位位置を左右両サイドに寄せることができ、さらに左右両サイドへの定位移動量を変更することができる。これにより、受聴者は、センター付近の音をクリアに受聴することができる。
【００９１】
例えば、図１２と図１３の（ａ）に示されるように、Ｌｉｎの再生音とＲｉｎの再生音とによって定位する音の定位位置がセンターに集まっている場合が想定される。このような場合、音の定位移動量が大きくなるように生成したＬｏｕｔ及びＲｏｕｔにより、左右両サイドに大きく拡がる音場を生成することができる。
【００９２】
［音響信号処理装置の動作の具体例３］
以下、音響信号処理装置１００の動作のもう一つの別の具体的な例について説明する。図１６〜図１９を用いて、クラッシック音楽のステレオ音源を構成するＬｉｎ及びＲｉｎを用いた例について説明する。
【００９３】
図１６は、Ｌｉｎ及びＲｉｎの具体例を示す図である。なお、図１６において、横軸は時間を示し、縦軸は振幅を示す。
【００９４】
図１７は、このようなＬｉｎの再生音及びＲｉｎの再生音による、音の定位位置を示す図である。図１７では、パニング手法により定位位置を求めており、色が白い部分は信号レベルが大きいことを示している。図１７において、横軸は時間を示し、縦軸は定位方向を示し、横軸の時間スケールは図１６と同じである。
【００９５】
図１７の（ａ）に示されるように、Ｌｉｎの再生音及びＲｉｎの再生音による音の定位位置は、左右両サイドに広がっている。
【００９６】
これに対し、図１７の（ｂ）及び（ｃ）は、音響信号処理装置１００により生成されたＬｏｕｔの再生音及びＲｏｕｔの再生音による音の定位位置を示す図である。なお、図１７の（ｂ）及び図１７の（ｃ）の表記方法は、図１７の（ａ）と同じであり、図１７の（ｂ）は、音の定位移動量が小さい場合、図１７の（ｃ）は、音の定位移動量が大きい場合をそれぞれ示している。
【００９７】
図１７の（ａ）と（ｂ）とを比較すると、図１７の（ｂ）では、音の定位位置を若干ではあるが左右両サイドの方向に引き延ばせていることがわかる。
【００９８】
図１７の（ｂ）と（ｃ）とを比較すると、図１７の（ｃ）では、音の定位位置をさらに左右両サイドの方向に引き延ばせていることがわかる。
【００９９】
ここで、図１７の（ｂ）に示される音の定位を実現するＬｏｕｔ及びＲｏｕｔを生成するときの信号波形を図１８によって提示する。図１８は、Ｌｏｕｔ及びＲｏｕｔを生成するときの信号波形を示す図である。なお、図１８において、横軸は時間を示し、縦軸は振幅を示す。横軸の時間スケールと縦軸の振幅のスケールとは図１６と同じである。
【０１００】
図１８の（ａ）は、第１信号を示し、図１８の（ｂ）は、第２信号を示している。図１８の（ｃ）は、Ｌｉｎ−第１信号を示し、図１８の（ｄ）は、Ｒｉｎ−第２信号を示している。図１８の（ｅ）は、Ｌｏｕｔを示し、図１８の（ｆ）は、Ｒｏｕｔを示す。
【０１０１】
また、図１７の（ｃ）に示される音の定位を実現するＬｏｕｔ及びＲｏｕｔを生成するときの信号波形を図１９によって提示する。図１９は、Ｌｏｕｔ及びＲｏｕｔを生成するときの信号波形を示す図である。なお、図１９において、横軸は時間を示し、縦軸は振幅を示す。横軸の時間スケールと縦軸の振幅のスケールとは図１６と同じである。
【０１０２】
図１９の（ａ）は、第１信号を示し、図１９の（ｂ）は、第２信号を示している。図１９の（ｃ）は、Ｌｉｎ−第１信号を示し、図１９の（ｄ）は、Ｒｉｎ−第２信号を示している。図１９の（ｅ）は、Ｌｏｕｔを示し、図１９の（ｆ）は、Ｒｏｕｔを示す。
【０１０３】
なお、図１８及び図１９の両方の場合において、Ｌｉｎ＋Ｒｉｎ＝Ｌｏｕｔ＋Ｒｏｕｔの関係が成り立っており、全体の信号レベルは変化しない。
【０１０４】
以上のように、音響信号処理装置１００の音響信号処理方法によれば、センター付近に音を定位させたまま、その他の音の定位位置を左右両サイドに寄せることができ、さらに左右両サイドへの定位移動量を変更することができる。これにより、受聴者は、センター付近の音をクリアに受聴することができる。
【０１０５】
例えば、図１６と図１７の（ａ）に示されるように、ＬｉｎとＲｉｎに含まれる音の定位位置が左右両サイドの方向に広がっている場合が想定される。このような場合、音の定位移動量が小さくなるように生成したＬｏｕｔ及びＲｏｕｔにより、音の定位位置が極端に左右両サイドの方向に広がってしまうことを抑制することができる。
【０１０６】
［まとめ］
以上説明したように、音響信号処理装置１００の音響信号処理方法によれば、センター付近に音を定位させたまま、その他の音の定位位置を左右両サイドに寄せることができ、さらに左右両サイドへの定位移動量を変更することができる。つまり、音響信号処理装置１００は、信号処理によって、２つの音響信号にそれぞれに対応する再生位置の間に定位する音の定位位置を変更することができる。
【０１０７】
なお、Ｌｏｕｔ及びＲｏｕｔを再生するスピーカ配置は、受聴者から見てＬチャネルスピーカがＲチャネルスピーカよりも左側に配置されれば、特に限定されるものではない。しかしながら、音響信号処理装置１００の音響信号処理方法は、センター付近に音が偏りやすいスピーカ配置において、特に有効であり、このようなスピーカ配置について図２０及び図２１を用いて説明する。図２０及び図２１は、スピーカ配置の一例を説明するための図である。
【０１０８】
図２０では、ステレオ信号を再生するためのＬチャネルスピーカ６０Ｌと、Ｒチャネルスピーカ６０Ｒとは、（正面同士が）対向して配置される。スピーカ配置に制約がある場合（例えば、車載オーディオ）に、このような配置がみられる。
【０１０９】
このように、Ｌチャネルスピーカ６０Ｌと、Ｒチャネルスピーカ６０Ｒとが対向して配置された場合、２つのスピーカの中央付近に音の定位が重なる傾向がある。
【０１１０】
また、図２１に示されるように、狭い空間３０にＬチャネルスピーカ６０Ｌ及びＲチャネルスピーカ６０Ｒが配置されること等により、反射の影響が大きい場合は、２つのスピーカの中央付近に音の定位が重なる傾向がある。
【０１１１】
以上のような場合に、音響信号処理装置１００の音響信号処理方法は特に有効である。
【０１１２】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。
【０１１３】
そこで、以下、他の実施の形態をまとめて説明する。
【０１１４】
例えば、音響信号処理装置１００は、ユーザ（受聴者）の音楽ジャンルの入力を受け付ける入力受付部を備えてもよい。図２２は、入力受付部を備える音響信号処理装置の構成を示す機能ブロック図である。図２２に示される音響信号処理装置１００ａが備える入力受付部１０６は、例えば、リモコン（リモコンの受光部）や、タッチパネルなどのユーザインターフェースである。
【０１１５】
上記実施の形態で説明したように、処理対象の信号がポップミュージックのステレオ音源である場合と、クラシック音楽のステレオ音源である場合とで第１信号及び第２信号の適切な抽出量は異なる。そこで、音響信号処理装置１００ａにおいては、抽出部１０２ａ（制御部１０５ａ）は、入力受付部１０６が受け付けた音楽ジャンルに応じて第１信号の抽出量を変更し、入力受付部１０６が受け付けた音楽ジャンルに応じて第２信号の抽出量を変更する。これにより、音響信号処理装置１００ａは、音楽ジャンルに応じて音の定位位置を適切に変更することができる。
【０１１６】
上記実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１１７】
例えば、各構成要素は、回路でもよい。これらの回路は、全体として１つの回路を構成してもよいし、それぞれ別々の回路でもよい。また、これらの回路は、それぞれ、汎用的な回路でもよいし、専用の回路でもよい。
【０１１８】
なお、本開示の包括的または具体的な態様は、システム、方法、集積回路、コンピュータプログラムまたはコンピュータ読み取り可能なＣＤ−ＲＯＭなどの記録媒体で実現されてもよい。また、本開示の包括的または具体的な態様は、システム、方法、集積回路、コンピュータプログラム及び記録媒体の任意な組み合わせで実現されてもよい。
【０１１９】
なお、音響信号処理装置１００が集積回路として実現される場合、取得部１０１は、集積回路の入力端子であり、出力部１０４は、集積回路の出力端子である。
【０１２０】
以上のように、本開示における技術の例示として、実施の形態を説明した。そのために、添付図面及び詳細な説明を提供した。
【０１２１】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１２２】
また、上述の実施の形態は、本開示における技術を例示するためのものであるから、特許請求の範囲またはその均等の範囲において種々の変更、置き換え、付加、省略などを行うことができる。
【産業上の利用可能性】
【０１２３】
本開示は、２つの音響信号に信号処理を行うことにより、音の定位位置を変更できる音響信号処理装置として、例えば、車載オーディオ装置、オーディオ再生装置、ネットワークオーディオ装置、及び、携帯型オーディオ装置などに適用できる。また、本開示は、ブルーレイ（登録商標）ディスク、ＤＶＤ、及びハードディスク等のディスクプレーヤー、レコーダ、テレビ、デジタルスチルカメラ、デジタルビデオカメラ、携帯端末装置、並びにパーソナルコンピュータ等にも適用できる。
【符号の説明】
【０１２４】
１０Ｌ、６０Ｌ  Ｌチャネルスピーカ
１０Ｒ、６０Ｒ  Ｒチャネルスピーカ
２０  受聴者
３０  空間
３０ａ、３０ｂ、４０ａ、５０ａ、５０ｂ  音
１００、１００ａ  音響信号処理装置
１０１  取得部
１０２、１０２ａ  抽出部
１０３  生成部
１０４  出力部
１０５、１０５ａ  制御部
１０６  入力受付部
２０１  音再生装置
２０２  記録媒体
４０１  周波数領域変換部
４０２  信号抽出部
４０３  時間領域変換部
【図１】
2015128285.tif 000003
【図２】
2015128285.tif 000004
【図３】
2015128285.tif 000005
【図４】
2015128285.tif 000006
【図５】
2015128285.tif 000007
【図６】
2015128285.tif 000008
【図７】
2015128285.tif 000009
【図８】
2015128285.tif 000010
【図９】
2015128285.tif 000011
【図１０】
2015128285.tif 000012
【図１１】
2015128285.tif 000013
【図１２】
2015128285.tif 000014
【図１４】
2015128285.tif 000015
【図１５】
2015128285.tif 000016
【図１６】
2015128285.tif 000017
【図１８】
2015128285.tif 000018
【図１９】
2015128285.tif 000019
【図２０】
2015128285.tif 000020
【図２１】
2015128285.tif 000021
【図２２】
2015128285.tif 000022
【図１３】
2015128285.tif 000023
【図１７】
2015128285.tif 000024